(57)【要約】  登録されたグループの名前をグループ名リスト部２１に一覧表示すると共に、管理者がグループ名リスト部２１に一覧表示されたグループの中から選択した複数のグループについて実行可能な部品実装関連アプリケーションの機能毎の権限の設定内容をアカウント権限比較表示部２２にグループ間で比較できるように並べて表示する。管理者がアカウント権限比較表示部２２に表示された部品実装関連アプリケーションの機能毎の権限の設定内容をグループ間で比較しながら機能毎の権限の設定内容を編集する。アカウント権限比較表示部２２に部品実装関連アプリケーションの機能毎の権限の設定内容を当該部品実装関連アプリケーションの全ての機能についてグループ間で比較できるように並べて表示する全機能表示モードと、グループ間で権限の設定内容が異なる機能についてのみ設定内容をグループ間で比較できるように並べて表示する差分表示モードとを管理者が切り換える。
2015136630.tif 000002
【特許請求の範囲】
【請求項１】
同じ権限を持つアカウントが属するグループ毎に実行可能な部品実装関連アプリケーションの機能毎の権限を管理するアカウント権限管理装置において、
登録されたグループの名前を一覧表示するグループ名リスト部と、
管理者が前記グループ名リスト部に一覧表示されたグループの中から選択した複数のグループについて実行可能な部品実装関連アプリケーションの機能毎の権限の設定内容をグループ間で比較できるように並べて表示するアカウント権限比較表示部とを備え、
管理者が前記アカウント権限比較表示部に表示された部品実装関連アプリケーションの機能毎の権限の設定内容をグループ間で比較しながら機能毎の権限の設定内容を編集する機能を持たせたことを特徴とする部品実装関連アプリケーションのアカウント権限管理装置。
【請求項２】
前記アカウント権限比較表示部に部品実装関連アプリケーションの機能毎の権限の設定内容を当該部品実装関連アプリケーションの全ての機能についてグループ間で比較できるように並べて表示する全機能表示モードと、グループ間で権限の設定内容が異なる機能についてのみ設定内容をグループ間で比較できるように並べて表示する差分表示モードとを管理者が切り換える表示モード切換手段を備えていることを特徴とする請求項１に記載の部品実装関連アプリケーションのアカウント権限管理装置。
【請求項３】
同じ権限を持つアカウントが属するグループ毎に実行可能な部品実装関連アプリケーションの機能毎の権限を管理するアカウント権限管理方法において、
登録されたグループの名前をグループ名リスト部に一覧表示すると共に、管理者が前記グループ名リスト部に一覧表示されたグループの中から選択した複数のグループについて実行可能な部品実装関連アプリケーションの機能毎の権限の設定内容をアカウント権限比較表示部にグループ間で比較できるように並べて表示し、管理者が前記アカウント権限比較表示部に表示された部品実装関連アプリケーションの機能毎の権限の設定内容をグループ間で比較しながら機能毎の権限の設定内容を編集することを特徴とする部品実装関連アプリケーションのアカウント権限管理方法。
【請求項４】
前記アカウント権限比較表示部に部品実装関連アプリケーションの機能毎の権限の設定内容を当該部品実装関連アプリケーションの全ての機能についてグループ間で比較できるように並べて表示する全機能表示モードと、グループ間で権限の設定内容が異なる機能についてのみ設定内容をグループ間で比較できるように並べて表示する差分表示モードとを管理者が切り換えることを特徴とする請求項３に記載の部品実装関連アプリケーションのアカウント権限管理方法。
【発明の詳細な説明】
【技術分野】
【０００１】
本発明は、同じ権限を持つアカウントが属するグループ毎に実行可能な部品実装関連アプリケーションの機能毎の権限を管理するアカウント権限管理装置及びアカウント権限管理方法に関する発明である。
【背景技術】
【０００２】
部品実装機で回路基板に部品を実装する生産システムにおいては、様々な部品実装関連アプリケーションが用いられている。部品実装関連アプリケーションとしては、例えば、部品画像認識用のパートデータを作成するアプリケーション、システム設定を行うアプリケーション、生産支援を行うアプリケーション、生産の進捗・監視を行うアプリケーション、生産ジョブを編集するアプリケーション等がある。生産現場では、複数の作業者（ユーザ）がこれらの部品実装関連アプリケーションを使用して、部品画像認識用のパートデータを作成したり、システム設定や生産支援を行ったり、生産の進捗・監視を行ったり、生産ジョブを編集するようにしている。【０００３】
管理者は、各作業者に付与したアカウントで実行可能な部品実装関連アプリケーションの機能毎の権限を管理する必要があるため、同じ権限を持つアカウントが属するグループ毎に実行可能な部品実装関連アプリケーションの機能毎の権限を管理するようにしている（特許文献１参照）。
【先行技術文献】
【特許文献】
【０００４】
【特許文献１】特開２００７−１７２２８０号公報
【発明の概要】
【発明が解決しようとする課題】
【０００５】
部品実装関連アプリケーションを扱うアカウントに追加があった場合、管理者は、部品実装関連アプリケーションの機能毎に権限を設定する必要がある。その際、アカウント（実際にはアカウントが属するグループ）が増えてくるにつれ、管理者は、他のアカウント（グループ）の権限の設定内容を記憶しながら作業を行う必要があり、その作業が甚だ面倒で時間が掛かるばかりか、設定間違いが起きやすいという欠点もあった。【０００６】
そこで、本発明が解決しようとする課題は、部品実装関連アプリケーションの機能毎の権限の設定作業を簡略化できると共に、設定間違いを低減できるアカウント権限管理装置及びアカウント権限管理方法を提供することである。
【課題を解決するための手段】
【０００７】
上記課題を解決するために、本発明は、同じ権限を持つアカウントが属するグループ毎に実行可能な部品実装関連アプリケーションの機能毎の権限を管理する技術に関する発明であって、登録されたグループの名前をグループ名リスト部に一覧表示すると共に、管理者が前記グループ名リスト部に一覧表示されたグループの中から選択した複数のグループについて実行可能な部品実装関連アプリケーションの機能毎の権限の設定内容をアカウント権限比較表示部にグループ間で比較できるように並べて表示し、管理者が前記アカウント権限比較表示部に表示された部品実装関連アプリケーションの機能毎の権限の設定内容をグループ間で比較しながら機能毎の権限の設定内容を編集することを特徴とするものである。【０００８】
本発明では、管理者がアカウント権限比較表示部に表示された部品実装関連アプリケーションの機能毎の権限の設定内容をグループ間で比較しながら機能毎の権限の設定内容を編集できるため、管理者は、他のアカウント（グループ）の権限の設定内容を記憶する必要がなく、グループ間の権限の設定の相違を簡単に把握することができ、権限の設定作業を簡略化できると共に、設定間違いを低減できる。【０００９】
また、本発明は、前記アカウント権限比較表示部に部品実装関連アプリケーションの機能毎の権限の設定内容を当該部品実装関連アプリケーションの全ての機能についてグループ間で比較できるように並べて表示する全機能表示モードと、グループ間で権限の設定内容が異なる機能についてのみ設定内容をグループ間で比較できるように並べて表示する差分表示モードとを管理者が切り換えるようにしても良い。全機能表示モードから差分表示モードに切り換えることで、グループ間で権限の設定内容が異なる機能についてのみ設定内容をグループ間で比較できるように並べて表示することができるため、グループ間の権限の設定の相違が更に分かりやすくなり、権限の設定作業が一層簡単になる利点がある。
【図面の簡単な説明】
【００１０】
【図１】図１は本発明の一実施例におけるアカウント権限管理装置のシステム構成例を示すブロック図である。
【図２】図２は全機能表示モードのアカウント権限設定作業画面を示す図である。
【図３】図３は差分表示モードのアカウント権限設定作業画面を示す図である。
【発明を実施するための形態】
【００１１】
以下、本発明を実施するための形態を具体化した一実施例を説明する。
まず、アカウント権限管理装置のシステム構成を説明する。
【００１２】
図１に示すように、管理者が操作する管理者用コンピュータ１１と、部品実装機で回路基板に部品を実装する生産システムに関与する作業者が操作する１台又は複数台の作業者用コンピュータ１２がネットワーク１３で接続されている。尚、管理者と作業者の両方が共通して操作するコンピュータを「管理者用コンピュータ」としても良い。
【００１３】
管理者用コンピュータ１１には、キーボード、マウス、タッチパネル等の入力装置１４と、後述する図２及び図３に示す全機能表示モードのアカウント権限設定作業画面１５と差分表示モードのアカウント権限設定作業画面１６等を切り換えて表示する表示装置１７等が接続されている。
【００１４】
図２に示すように、全機能表示モードのアカウント権限設定作業画面１５には、登録されたグループの名前を一覧表示するグループ名リスト部２１と、管理者がグループ名リスト部２１に一覧表示されたグループの中から入力装置１４の操作で選択した複数（例えば２つ）のグループについて実行可能な部品実装関連アプリケーションの機能毎の権限の設定内容をグループ間で比較できるように並べて表示するアカウント権限比較表示部２２とが設けられている。
【００１５】
グループ名リスト部２１に一覧表示された各グループ（例えば、Ａｄｍｉｎ、Ｏｐｅｒａｔｏｒ、Ｐｒｏｇｒａｍｍｅｒ、Ｔｅｓｔｅｒ、Ｕｓｅｒ）には、それぞれ、同じ権限を持つアカウントが属する。図２の表示例では、グループ名リスト部２１に一覧表示されたグループの中からＡｄｍｉｎとＰｒｏｇｒａｍｍｅｒが選択され、アカウント権限比較表示部２２には、ＡｄｍｉｎとＰｒｏｇｒａｍｍｅｒが実行可能な部品実装関連アプリケーションの機能毎の権限の設定内容（権限の有無）がグループ間で比較できるように並べて表示されている。部品実装関連アプリケーションとしては、例えば、部品画像認識用のパートデータを作成するアプリケーション（パートエディタ）、システム設定を行うアプリケーション、生産支援を行うアプリケーション、生産の進捗・監視を行うアプリケーション、生産ジョブを編集するアプリケーション（ジョブエディタ）等がある。
【００１６】
例えば、パートエディタの機能には、「新規作成」、「開く」、「保存」、「印刷」、「コピー」等があり、システム設定を行うアプリケーションの機能には、「新規作成」、「開く」、「保存」、「配置」、「移動」等がある。各機能名の横に、各機能の簡単な説明を表示する説明欄が設けられている。
【００１７】
全機能表示モードのアカウント権限設定作業画面１５には、編集ボタン２３が設けられ、管理者が入力装置１４により編集ボタン２３を操作すると、アカウント権限比較表示部２２に表示された部品実装関連アプリケーションの機能毎の権限の設定内容をグループ間で比較しながら機能毎の権限の設定内容（権限の有無）を入力装置１４の操作で編集できるようになっている。権限の設定内容の編集作業は、各グループの権限有無の入力欄に、権限が有る機能についてはチェックの印（レ）を入力し、権限が無い機能については空白のままとする。
【００１８】
尚、全機能表示モードのアカウント権限設定作業画面１５のアカウント権限比較表示部２２には、各アプリケーションの独特な機能も表示され、各アプリケーションの独特な機能についても個別に権限の設定内容を編集できるようになっている。図２の表示例では、システム設定の配置、移動が独特な機能である。
【００１９】
全機能表示モードのアカウント権限設定作業画面１５には、差分表示ボタン２４（表示モード切換手段）が設けられ、管理者が入力装置１４を使用して差分表示ボタン２４を操作（クリック、タッチ等）すると、図２の全機能表示モードのアカウント権限設定作業画面１５から図３の差分表示モードのアカウント権限設定作業画面１６に切り換えられる。図２の全機能表示モードのアカウント権限設定作業画面１５のアカウント権限比較表示部２２には、部品実装関連アプリケーションの機能毎の権限の設定内容を当該部品実装関連アプリケーションの全ての機能についてグループ間で比較できるように並べて表示し、一方、図３の差分表示モードのアカウント権限設定作業画面１６のアカウント権限比較表示部２２には、グループ間で権限の設定内容が異なる機能についてのみ設定内容をグループ間で比較できるように並べて表示するようになっている。
【００２０】
差分表示モードのアカウント権限設定作業画面１６には、全機能表示ボタン２５（表示モード切換手段）が設けられ、管理者が入力装置１４を使用して全機能表示ボタン２５を操作（クリック、タッチ等）すると、図３の差分表示モードのアカウント権限設定作業画面１６から図２の全機能表示モードのアカウント権限設定作業画面１５に切り換えられる。その他、差分表示モードのアカウント権限設定作業画面１６についても、登録されたグループの名前を一覧表示するグループ名リスト部２１と、アカウント権限比較表示部２２に表示された部品実装関連アプリケーションの機能毎の権限の設定内容（権限の有無）を入力装置１４の操作で編集する編集ボタン２３とが設けられている。
【００２１】
以上説明した本実施例では、管理者がアカウント権限比較表示部２２に表示された部品実装関連アプリケーションの機能毎の権限の設定内容をグループ間で比較しながら機能毎の権限の設定内容を編集できるため、管理者は、他のアカウント（グループ）の権限の設定内容を記憶する必要がなく、グループ間の権限の設定の相違を簡単に把握することができ、権限の設定作業を簡略化できると共に、設定間違いを低減できる。
【００２２】
しかも、全機能表示モードから差分表示モードに切り換えることで、グループ間で権限の設定内容が異なる機能についてのみ設定内容をグループ間で比較できるように並べて表示することができるため、グループ間の権限の設定の相違が更に分かりやすくなり、権限の設定作業が一層簡単になる利点がある。
【００２３】
尚、本発明は、上記実施例に限定されず、例えば、全機能表示モードと差分表示モードのいずれか一方の表示モードを省いた構成としても良く、また、アカウント権限設定作業画面１５，１６の各部分のデザインを変更しても良い等、要旨を逸脱しない範囲内で種々変更して実施できることは言うまでもない。
【符号の説明】
【００２４】
１１…管理者用コンピュータ、１２…作業者用コンピュータ、１４…入力装置、１５…全機能表示モードのアカウント権限設定作業画面、１６…差分表示モードのアカウント権限設定作業画面、１７…表示装置、２１…グループ名リスト部、２２…アカウント権限比較表示部、２３…編集ボタン、２４…差分表示ボタン（表示モード切換手段）、２５…全機能表示ボタン（表示モード切換手段）
【図１】
2015136630.tif 000003
【図２】
2015136630.tif 000004
【図３】
2015136630.tif 000005
【国際調査報告】
2015136630.tif 000006
2015136630.tif 000007
2015136630.tif 000008
2015136630.tif 000009